(57)【要約】【課題】  ９％ニッケル鋼の使用量を減らしてコストを削減できるようにする。【解決手段】  低温貯蔵タンクにおける内槽２の側板２ｂに、９％ニッケル鋼製のプレート１１を溶接により取り付け、その表面に、デッドアンカー１２を溶接して取り付ける。デッドアンカー１２に、ＰＣ鋼線１３の上端部を固定し、ＰＣ鋼線１３の下端側を外槽１の底板１ａに設けた貫通孔１５を通し、外槽１の底板１ａの下面側に埋設したＰＣアンカー１４にＰＣ鋼線１３の下端部を連結して、アンカーストラップ装置１０を形成する。ＰＣ鋼線１３はＪＩＳ  Ｇ３５３６に規定されたものとする。地震時には、内槽２の側板２ｂに取り付けたデッドアンカー１２と、外槽１の底板１ａに埋設したＰＣアンカー１４とを所要のテンションを掛けた状態で繋いでいるＰＣ鋼線１３の引張方向の強度により内槽２の浮き上がりを未然に防止させる。【選択図】図１
2009250291.tif 000002
【特許請求の範囲】
【請求項１】
低温タンクの内槽の浮き上がりを防止するためのアンカーストラップ装置において、低温タンクの内槽の側板における所要個所にデッドアンカーを取り付け、該デッドアンカーに一端部を固定したＰＣ鋼線又はＰＣ鋼より線に引張方向の所要のテンションを掛けた状態で、該ＰＣ鋼線又はＰＣ鋼より線の他端部を、外槽の底板に埋設したＰＣアンカーに連結してなる構成を有することを特徴とする低温貯蔵タンクのアンカーストラップ装置。
【請求項２】
低温タンクの内槽の側板に取り付けたデッドアンカーと、外槽の底板に埋設したＰＣアンカーとの間に配されたＰＣ鋼線又はＰＣ鋼より線を全長に亘り覆うフレキシブルなシース管を設け、且つ該シース管にグラウトを充填するようにした請求項１記載の低温貯蔵タンクのアンカーストラップ装置。
【請求項３】
デッドアンカーを、内槽の側板に溶接により取り付けた９％ニッケル鋼製のプレートの表面に溶接により取り付けるようにした請求項１又は２記載の低温貯蔵タンクのアンカーストラップ装置。
【請求項４】
ＰＣアンカーを、外槽の底板の下面側に埋設するようにした請求項１、２又は３記載の低温貯蔵タンクのアンカーストラップ装置。
【発明の詳細な説明】
【技術分野】
【０００１】
本発明は、二重殻構造を有する低温貯蔵タンクの内槽の浮き上がりを防止するための低温貯蔵タンクのアンカーストラップ装置に関するものである。
【背景技術】
【０００２】
一般に、ＬＮＧ等の低温液化ガスのタンクとして広く用いられている地上式の低温貯蔵タンクは、図２に示す如く、基礎スラブとなるＰＣ製の底板１ａとＰＣ製の側板１ｂと鋼製の屋根１ｃとからなる外槽１の内側に、鋼製の底板２ａと側板２ｂと屋根２ｃからなる内槽２を備えた二重殻タンクとしてある。更に、内槽２に貯蔵する貯蔵液としてのＬＮＧ等の低温液化ガス３の吸熱によるガス化を防止するために、内槽２の底板２ａと外槽１の底板１ａの間には、保冷ブロックのような底部保冷材４を挟持させるようにし、又、内槽２の側板２ｂと外槽１の側板１ｂの間、及び、内槽２の屋根２ｃと外槽１の屋根１ｃの間の空間５には、パーライト粒子等の図示しない保冷材が充填してある。
【０００３】
更に、上記二重殻式の低温貯蔵タンクでは、通常、地震時等における内槽２の浮き上がりを防止できるようにするために、内槽２の外周に周方向所要のピッチでアンカーストラップ６が装備してある。
【０００４】
図３（イ）（ロ）は上記アンカーストラップ６の一例の概略を示すもので、内槽２の側板２ｂにおける所要個所の外側面に、該側板２ｂに溶接した一対の座板７ａと、該各座板７ａにそれぞれ立設させた一対のブラケット７ｂと、対峙する一対のブラケット７ｂ間に横架して設けたストッパー板７ｃとからなるストッパー７が取り付けてある。
【０００５】
更に、細長い平板形状として上端部に長方形の板８ａが取り付けてあるストラッププレート８の上端側を、上記内槽２の側板２ｂと、ストッパー７における一対のブラケット７ｂと、ストッパー板７ｃとによって囲まれる空間に挿通させて配置してある。これにより、該ストラッププレート８の上端部の板８ａが、上記ストッパー７におけるストッパー板７ｃの上側に係止されることで、該ストラッププレート８の上記ストッパー７より下方への引き抜きが防止されるようにしてある。
【０００６】
上記ストラッププレート８の下端側は、底部保冷材４に設けた切り欠き部分を通して下方へ延びるように配置すると共に、該ストラッププレート８の下端部を、基礎スラブとなる外槽１の底板１ａに埋設された上下に延びる角筒状のアンカーボックス９に上下方向に貫通させて収容させると共に、該アンカーボックス９より下方へ突出するストラッププレート８の下端部を、上記アンカーボックス９の下端側を閉塞する閉塞板（水平板）９ａを貫通させて該閉塞板９ａの下側中央部に設けてある垂直板９ｂに溶接した構成としてある。
【０００７】
これにより、地震時等に上記内槽２に対して上向きの力が作用して該内槽２が浮き上がろうとすると、上記アンカーボックス９に下端側が固定されている上記ストラッププレート８の上端部の板８ａに、上記内槽の側板２ｂに取り付けた上記ストッパー７のストッパー板７ｃが下方から接して係止されることで、該ストラッププレート８の引張方向の強度によって、上記内槽２の浮き上がりが未然に防止されるようにしてある（たとえば、特許文献１参照）。
【０００８】
なお、図示してないが、上記アンカーボックス９内には通常、保温材を充填して、上記内槽２内に貯蔵される低温液化ガス３の冷熱が伝熱されるストラッププレート８と、上記アンカーボックス９との断熱を図るようにして、該アンカーボックス９の周りのコンクリートに上記低温液化ガス３の有する冷熱が悪影響する虞を未然に防止させるようにしてある。
【０００９】
ところで、上記アンカーストラップ６は、内槽２内に貯蔵される低温液化ガス３の保有する極低温、たとえば、該低温液化ガス３がＬＮＧの場合は約−１６２℃という極低温に曝されることから、従来は、−１６５℃の極低温においても強度上満足できるように、上記ストラッププレート８及びストッパー７の材料を、いずれも９％ニッケル鋼としていた。
【００１０】
【特許文献１】特開２００３−２６９６９８号公報
【発明の開示】
【発明が解決しようとする課題】
【００１１】
ところが、上記図３（イ）（ロ）に示した如き従来のアンカーストラップ６では、ストラッププレート８及びストッパー７を、９％ニッケル鋼という特殊な材質製としてあるため、上記低温貯蔵タンクの内槽２の周方向に該アンカーストラップ６を設置する場合、該アンカーストラップ６に要するコストが嵩むというのが実状である。特に、上記ストラッププレート８は、上記９％ニッケル鋼によって長尺の細長い平板形状として製造する必要があることから、コスト増加に与える影響が大きい。
【００１２】
そこで、本発明は、上記低温貯蔵タンクの内槽の浮き上がりを防止する機能を発揮でき、且つ９％ニッケル鋼の使用量を削減できて、コストの低減化を図ることが可能な低温貯蔵タンクのアンカーストラップ装置を提供しようとするものである。
【課題を解決するための手段】
【００１３】
本発明は、上記課題を解決するために、請求項１に対応して、低温タンクの内槽の浮き上がりを防止するためのアンカーストラップ装置において、低温タンクの内槽の側板における所要個所にデッドアンカーを取り付け、該デッドアンカーに一端部を固定したＰＣ鋼線又はＰＣ鋼より線に引張方向の所要のテンションを掛けた状態で、該ＰＣ鋼線又はＰＣ鋼より線の他端部を、外槽の底板に埋設したＰＣアンカーに連結してなる構成とする。
【００１４】
又、上記構成において、低温タンクの内槽の側板に取り付けたデッドアンカーと、外槽の底板に埋設したＰＣアンカーとの間に配されたＰＣ鋼線又はＰＣ鋼より線を全長に亘り覆うフレキシブルなシース管を設け、且つ該シース管にグラウトを充填するようにした構成とする。
【００１５】
更に、上記各構成において、デッドアンカーを、内槽の側板に溶接により取り付けた９％ニッケル鋼製のプレートの表面に溶接により取り付けるようにした構成とする。
【００１６】
上述の各構成において、ＰＣアンカーを、外槽の底板の下面側に埋設するようにした構成とする。
【発明の効果】
【００１７】
本発明の低温貯蔵タンクのアンカーストラップ装置によれば、以下のような優れた効果を発揮する。  
（１）低温タンクの内槽の浮き上がりを防止するためのアンカーストラップ装置において、低温タンクの内槽の側板における所要個所にデッドアンカーを取り付け、該デッドアンカーに一端部を固定したＰＣ鋼線又はＰＣ鋼より線に引張方向の所要のテンションを掛けた状態で、該ＰＣ鋼線又はＰＣ鋼より線の他端部を、外槽の底板に埋設したＰＣアンカーに連結してなる構成としてあるので、地震時等に低温貯蔵タンクの内槽が浮き上がろうとしても、該内槽の側板に取り付けたデッドアンカーと、外槽の底板に埋設されたＰＣアンカーとを予め引張方向に所要のテンションが付与された状態で繋いでいる上記ＰＣ鋼線の引張方向の強度によって、上記内槽の浮き上がりを未然に防止することができる。  
（２）又、極低温でも強度上性能が低下しないＰＣ鋼線又はＰＣ鋼より線を用いていると共に、デッドアンカー、ＰＣ鋼線又はＰＣ鋼より線、ＰＣアンカーは、一般土木構造物に広く一般的に使用されているものを使用することができる。したがって、製造に要するコストを低減させることができて、経済的に有利なものとすることができる。  
（３）更に、ＰＣ鋼線又はＰＣ鋼より線は、従来のアンカーストラップにおけるストラッププレートに比して断面積が小さいため、内槽内に貯蔵される低温液化ガスのような貯蔵液体の冷熱が該ＰＣ鋼線又はＰＣ鋼より線を介して外槽の底板側へ伝わる虞を未然に防ぐことができ、よって、外槽の底板を形成しているコンクリートに悪影響が生じる虞を解消できる。  
（４）しかも、上記ＰＣ鋼線又はＰＣ鋼より線は、断面積の異なるものが一般に流通しているため、地震時に低温貯蔵タンクの内槽に作用する力の大きさや、該内槽の側壁に周方向に配設するアンカーストラップ装置の数等に応じて、最適な断面積のものを選択して使用することができる。  
（５）低温タンクの内槽の側板に取り付けたデッドアンカーと、外槽の底板に埋設したＰＣアンカーとの間に配されたＰＣ鋼線又はＰＣ鋼より線を全長に亘り覆うフレキシブルなシース管を設け、且つ該シース管にグラウトを充填するようにした構成とすることにより、上記デッドアンカーとＰＣアンカーとの間に配されたＰＣ鋼線又はＰＣ鋼より線を、上記シース管に充填するグラウトで気密に被覆することができる。  
（６）デッドアンカーを、内槽の側板に溶接により取り付けた９％ニッケル鋼製のプレートの表面に溶接により取り付けるようにした構成とすることにより、デッドアンカーを、内槽に確実に取り付けることができる。  
（７）ＰＣアンカーを、外槽の底板の下面側に埋設するようにした構成とすることにより、低温タンクの内槽の側板に取り付けたデッドアンカーに一端部を固定したＰＣ鋼線又はＰＣ鋼より線の他端部を、ＰＣアンカーを利用して下方へ引いて該ＰＣ鋼線又はＰＣ鋼より線に引張方向の所要のテンションを掛けてから、該ＰＣ鋼線又はＰＣ鋼より線の他端部をＰＣアンカーに固定する作業を、外槽の底板の下側から実施することが可能になる。
【発明を実施するための最良の形態】
【００１８】
以下、本発明を実施するための最良の形態を図面を参照して説明する。
【００１９】
図１は本発明の低温貯蔵タンクのアンカーストラップ装置の実施の一形態を示すもので、図２に示したと同様の構成としてある低温貯蔵タンクにおける内槽２の側板２ｂの外側面所要個所に、９％ニッケル鋼製のプレート１１を溶接により取り付け、該プレート１１の表面に、デッドアンカー１２を溶接して取り付ける。
【００２０】
上記デッドアンカー１２には、ＰＣ鋼線１３の上端部となる一端部を固定する。更に、該ＰＣ鋼線１３の下端側となる他端側は、基礎スラブとなる外槽１の底板１ａを下向きに貫通させて、該ＰＣ鋼線１３の下端部となる他端部を、上記外槽１の底板１ａの下面側に埋設してあるＰＣアンカー１４に連結して、上記プレート１１とデッドアンカー１２とＰＣ鋼線１３とＰＣアンカー１４とからなるアンカーストラップ装置１０を構成する。
【００２１】
詳述すると、上記ＰＣ鋼線１３は、ＪＩＳ  Ｇ３５３６に規定されているＰＣ鋼線１３としてある。
【００２２】
更に、上記内槽２の側板２ｂにプレート１１とデッドアンカー１２を介して一端側が固定されている上記ＰＣ鋼線１３の下端部は、上記外槽１の底板１ａに設けた貫通孔１５を通して該底板１ａの下面側に設けてある上記ＰＣアンカー１４まで導き、該ＰＣアンカーにて、図示しないジャッキ等で上記ＰＣ鋼線１３の下端部を下方（長手方向）に引張ることで、該ＰＣ鋼線１３に引張方向に所要のテンションを掛けた後、この状態で該ＰＣ鋼線１３の下端部を図示しない楔等を用いて上記ＰＣアンカー１４に固定してある。
【００２３】
上記デッドアンカー１２とＰＣアンカー１４との間に配されているＰＣ鋼線１３を全長に亘り覆うフレキシブルなシース管１６で覆うようにしてある。これにより、上記のようにしてＰＣ鋼線１３に引張方向のテンションを与えた状態で該ＰＣ鋼線１３の下端側をＰＣアンカー１４に固定した後、上記シース管１６の中にグラウト１７を充填することで、該ＰＣ鋼線１３を気密に被覆できるようにしてある。
【００２４】
その他、図２及び図３（イ）（ロ）に示したものと同一のものには同一符号が付してある。
【００２５】
以上の構成としてあるアンカーストラップ装置１０を内槽２に装備した低温貯蔵タンクでは、地震時等に内槽２に対して上向きの力が作用して該内槽２が浮き上がろうとすると、該内槽２の側板２ｂにプレート１１とデッドアンカー１２を介して一端側が固定され且つ他端側が外槽１の底板１ａに埋設されたＰＣアンカー１４に連結されている上記ＰＣ鋼線１３には、予め引張方向に所要のテンションが付与してあるため、該ＰＣ鋼線１３の引張方向の強度によって、上記内槽２の浮き上がりが未然に防止されるようになる。
【００２６】
このように、本発明の低温貯蔵タンクのアンカーストラップ装置１０によれば、地震時等における低温貯蔵タンクの内槽２の浮き上がりを未然に防止することができる。更に、９％ニッケル鋼製とするのは、上記内槽２の側板２ｂに取り付けるためのプレート１１のみでよく、−１６５℃という極低温でも強度上性能が低下しないＰＣ鋼線を用いるようにしてあるため、上記デッドアンカー１２、ＰＣ鋼線１３、ＰＣアンカー１４は、いずれも一般土木構造物に広く一般的に使用されているデッドアンカー１２、ＰＣ鋼線１３、ＰＣアンカー１４を用いることができる。したがって、本発明の低温貯蔵タンクのアンカーストラップ装置１０は、図３（イ）（ロ）に示した如き従来のアンカーストラップ６に比してコストを低減させることができて、経済的に有利なものとすることができる。
【００２７】
更に、上記ＰＣ鋼線１３は、従来のアンカーストラップ６のストラッププレート８に比して断面積が小さいため、上記内槽２内に貯蔵される低温液化ガス３の冷熱が該ＰＣ鋼線１３を介して外槽１の底板１ａへ伝わる虞を未然に防ぐことができて、外槽１の底板１ａを形成しているコンクリートに悪影響が生じる虞を解消できる。
【００２８】
又、上記ＰＣ鋼線１３は、断面積の異なるものが一般に流通しているため、地震時に内槽２に作用する上向きの力の大きさや、該内槽２の側壁に周方向に配設するアンカーストラップ装置１０の数等に応じて、最適な断面積のものを選択して使用することができる。
【００２９】
上記デッドアンカー１２は、一般に内槽２に用いられる９％ニッケル鋼と同材質としてあるプレート１１を介して内槽２の側板２ｂに取り付けるようにしてあるため、該デッドアンカー１２を上記内槽２の側板２ｂに確実に取り付けることができる。
【００３０】
上記ＰＣアンカー１４は低温タンクの外槽１の底面側に埋設してあるため、上記デッドアンカー１２に一端部を固定したＰＣ鋼線１３の他端部を、ＰＣアンカー１４を利用して下方へ引いて該ＰＣ鋼線１３に引張方向の所要のテンションを掛け、この状態で該ＰＣ鋼線１３の他端部を上記ＰＣアンカー１４に固定する作業を、外槽１の底板１ａの下側での作業で実施することができる。
【００３１】
なお、上記実施の形態では、低温貯蔵タンクの内槽２の側板２ｂにプレート１１を介して取り付けたデッドアンカー１２と、外槽１の底板１ａに埋設されたＰＣアンカー１４とを所要のテンションを掛けた状態で繋ぐものとしてＰＣ鋼線１３を用いるものとして示したが、図１に示した構成において、該ＰＣ鋼線１３に代えて、ＪＩＳ  Ｇ３５３６に規定されているＰＣ鋼より線１３ａを、上記ＰＣ鋼線１３と同様に用いるようにしてもよい。  この場合も、上記実施の形態と同様の効果を得ることができる。
【００３２】
なお、本発明は、上記実施の形態にのみ限定されるものではなく、外槽１と内槽２を備えた二重殻式の低温貯蔵タンクであれば、いかなるサイズのものにも適用してよいこと、その他本発明の要旨を逸脱しない範囲内で種々変更を加え得ることは勿論である。
【図面の簡単な説明】
【００３３】
【図１】本発明の低温貯蔵タンクのアンカーストラップ装置の実施の一形態を示す概略側面図である。
【図２】従来の二重殻式の低温貯蔵タンクの概要を示す切断側面図である。
【図３】従来の二重殻式の低温貯蔵タンクで用いられているアンカーストラップの一例の概略を示すもので、（イ）は側面図、（ロ）は（イ）のＡ−Ａ方向矢視図である。
【符号の説明】
【００３４】
１  外槽
１ａ  底板
２  内槽
２ｂ  側板
１０  アンカーストラップ装置
１１  プレート
１２  デッドアンカー
１３  ＰＣ鋼線
１３ａ  ＰＣ鋼より線
１４  ＰＣアンカー
１６  シース管
１７  グラウト
【図１】
2009250291.tif 000003
【図２】
2009250291.tif 000004
【図３】
2009250291.tif 000005